(57)【要約】【課題】複数の携帯情報端末からの回線接続を任意の組み合わせに分けることができる回線接続制御装置を提供することを目的とする。【解決手段】会議室アプリケーション２２１は、３つの会議室から構成されている。各会議室に接続されている携帯情報端末同士のユーザは、同時通話が可能である。指令者からの発信時には、登録されている隊員の携帯情報端末からを選択し、発呼することにより、当該隊員を指定会議室に接続することができる。隊員からの着信時には、指令者が会議室を指定することにより、隊員は指定された会議室に接続して入ることができる。【選択図】　図２
2004023292.tif 000002
【特許請求の範囲】
【請求項１】
複数の携帯情報端末から所定番号への回線接続を管理する回線接続制御装置であって、
前記複数の携帯情報端末からの回線接続要求を受け付ける接続受付手段と、
前記複数の携帯情報端末の回線接続の組み合わせ選択をする組み合わせ選択手段と、
前記組み合わせ選択手段で選択された組み合わせに基づいて、前記接続受付手段で受け付けた複数の携帯情報端末の回線接続を行う接続手段と、
を備えたことを特徴とする回線接続制御装置。
【請求項２】
前記組み合わせ選択手段による組み合わせ選択は、任意に設定可能であることを特徴とする請求項１記載の回線接続制御装置。
【発明の詳細な説明】
【０００１】
【発明の属する技術分野】
本発明は、複数の携帯情報端末の回線接続を管理する回線接続制御装置に関する。
【０００２】
【従来の技術】
従来から、異なる場所にいる複数の者が会議を行いたい場合、会議を行いたい各者が所定の番号に電話をかけ、回線接続先で音声混合装置につながり、そこで音声を混ぜることで会議を行うといようなものがある。
この音声混合装置を利用することにより、異なる場所にいる各者が接続されている他者全員の声を聞くことができ、他者全員に自分の声を聞かせることができるようになっている。
【０００３】
【発明が解決しようとする課題】
しかしながら、従来の音声混合装置では、回線接続できる人数や、電話機の台数などが限られており、音声会議としての利用に制限があった。また、音声混合装置に接続しているもの全員の声が互いに聞こえてしまうので、全員が話しているような場合には、聞き取りにくい、わかりにくいというようなことがあった。また、音声混合装置を利用した音声会議を行うような場合、１つの音声会議では、全員と話をするばかりでなく、会議に参加している個別の数人、または所定の者とのみ相談したいような場合も生じる。このような場合に、従来の音声混合装置では、接続されている者全員が１つの音声会議としてつながっているので、関係ない者も話を聞かなければならいことになる。
【０００４】
そこで、接続されている者を所定のグループに分けたり、また、全員を１つの会議にまとめたりと、任意に適宜変更することができるような音声会議システムへの要望が高まってきている。
本発明は、上記事情を鑑みて、複数の携帯情報端末からの回線接続を任意の組み合わせに分けることができる回線接続制御装置を提供することを目的とする。
【０００５】
【課題を解決するための手段】
請求項１記載の発明では、複数の携帯情報端末から所定番号への回線接続を管理する回線接続制御装置であって、前記複数の携帯情報端末からの回線接続要求を受け付ける接続受付手段と、前記複数の携帯情報端末の回線接続の組み合わせ選択をする組み合わせ選択手段と、前記組み合わせ選択手段で選択された組み合わせに基づいて、前記接続受付手段で受け付けた複数の携帯情報端末の回線接続を行う接続手段と、を備えることにより、前記目的を達成する。
請求項２記載の発明では、請求項１記載の回線接続装置において、前記組み合わせ選択手段による組み合わせ選択は、任意に設定可能であることを特徴とすることにより、前記目的を達成する。
【０００６】
【発明の実施の形態】
以下、本発明の回線接続制御装置の好適な実施形態について図１ないし図９を参照して詳細に説明する。
本実施の形態では、一例として、携帯情報端末を利用した消防隊員全員（８人）が、回線接続制御装置を介して隊長（以下、指令者という）と通話する場合について説明する。
【０００７】
図１は、本発明の回線接続制御装置を利用した回線接続システムの概略構成を示した図である。図１に示すように、回線接続システム１００は、各隊員が有する携帯情報端末２ａ、２ｂ、２ｃ、・・・と、複数のＣＳ（以下、中継器という）１ａ、１ｂ、１ｃ、・・・と、回線コントローラ１０と、会議室アプリケーションを備えた指令者側のＰＣ端末２０とから構成される。
携帯情報端末２ａ、２ｂ、２ｃ、・・・は、ここでは一例として、内線モードを有するＰＨＳ（Ｐｅｒｓｏｎａｌ　Ｈａｎｄｅｙ−Ｐｈｏｎｅ　Ｓｙｓｔｅｍ：登録商標）であるとして説明するが、これに限られるものではない。
例えば、ＰＤＡ（Ｐｅｒｓｏｎａｌ　Ｄｉｇｉｔａｌ　Ａｓｓｉｓｔａｎｔ）、携帯電話などの通信機能を持った情報処理端末であればよいとする。
【０００８】
中継器１ａ、１ｂ、１ｃ・・・は、消防車に搭載されており、消防隊員によって火事現場の所定箇所に設置されるようになっている。携帯情報端末２ａ、２ｂ、２ｃ、・・・からの発呼は、消防隊員によって所定箇所に設置された中継器１ａ、１ｂ、１ｃ、・・・および回線コントローラ１０を介して指令者側のＰＣ端末２０に着信するようになっている。
回線コントローラ１０は、中継器１ａ、１ｂ、１ｃ、・・・を介して回線接続要求である発呼を一度受け付け、消防隊員の携帯情報端末２ａ、２ｂ、２ｃ、・・・のうち、どの携帯情報端末からの発呼であるかを認識する。この回線コントローラ１０には、あらかじめ携帯情報端末の番号情報、中継器の番号などが格納されている。
【０００９】
ＰＣ端末２０は、本実施の形態では、一例としてパーソナルコンピュータとして説明するが、これに限られるものではない。また、ＰＣ端末２０は、回線接続制御装置として機能する回線接続制御ボードを供えており、所定のプログラム言語で記載された会議室アプリケーションに従って、携帯情報端末２ａ、２ｂ、２ｃ、・・・の回線接続を制御するようになっている。
【００１０】
図２は、回線接続制御ボードを備えたＰＣ端末２０の概略構成を示した図である。
ＰＣ端末２０は、制御部（図示は省略）を備えており、ＰＣＩ（Ｐｅｒｉｐｈｅｒａｌ　Ｃｏｍｐｏｎｅｎｔ　Ｉｎｔｅｒｃｏｎｎｅｃｔ　Ｂｕｓ）バス、データバスなどのバスラインを介してＬＣＤ（Ｌｉｑｕｉｄ　Ｃｒｙｓｔａｌ　Ｄｅｓｐｌａｙ；液晶ディスプレイ）などの画像表示部２１、記憶部２２、回線接続制御部（回線接続制御ボード）２３、通信制御部２４、および図示しないその他の機器が接続されている。
【００１１】
ＰＣ端末２０の制御部は、各種プログラム（アプリケーションソフトウェア）に従ってＰＣ端末２０の各部を制御し、回線接続制御装置として機能させるＣＰＵ（中央処理装置）、コンピュータの起動時に実行されるプログラムなどを記録しているＲＯＭ（リード・オンリー・メモリ）、ＣＰＵが各種制御を行うためのプログラムやデータを格納するＲＡＭ（ランダム・アクセス・メモリ）などを備えている。
【００１２】
記憶部２２には、ＰＣ端末２０を回線接続装置として機能させるための各種プログラムである会議室アプリケーション２２１、電話帳アプリケーション２２２、ＯＳ（Ｏｐｅｒａｔｉｎｇ　Ｓｙｓｔｅｍ）２２３およびその他のアプリケーションが記憶されている。
会議室アプリケーション２２１は、回線接続制御部２３の各部を、携帯情報端末２ａ、２ｂ、２ｃ、・・・から送信される回線接続要求を受け付ける接続受付手段と、回線接続の組み合わせ選択をする組み合わせ選択手段と、選択された組み合わせに基づいて、接続受付手段で受け付けた携帯情報端末２ａ、２ｂ、２ｃ、・・・の回線接続を行う接続手段として機能させる。
【００１３】
ここで、会議室アプリケーション２２１の各機能について説明する。
会議室アプリケーション２２１は、ＰＣ端末２０へ着信した隊員の携帯情報端末２ａ、２ｂ、２ｃ、・・・を手動モードまたは自動モードに応じて指定会議室に接続する機能、指令者からの発信時には会議室を指定し、発呼した相手が応答すると、指定した会議室に接続する機能を有している。
本実施の形態では、会議室アプリケーション２２１によって接続される会議室は、会議室Ａ、会議室Ｂ、会議室個別の３つの会議室から構成されているものとして説明するが、これに限られるものではない。例えば、隊長がＰＣ端末２０を回線接続制御装置として利用する際に、会議室数を任意に設定することができるようにしてもよい。
【００１４】
会議室アプリケーション２２１による各会議室への回線接続パターンは、１つの会議室に接続する最大９通話で使用した場合の９者通話、７者通話と１対１通話、６者通話と３者通話、５者通話と４者通話、４者通話と３者通話と１対１通話、３者通話が３組、その他、接続人数が１対１の２通話から、最大９通話までの組み合わせとすることができる。このように会議室アプリケーション２２１によって制御される会議室（会議室Ａ、会議室Ｂ、会議室個別）の各会議室では、会議室に接続されている形態情報端末同士および指令者は、同時通話可能となっている。
【００１５】
また、会議室アプリケーション２２１は、隊員の携帯情報端末２ａ、２ｂ、２ｃ、・・・からの回線接続要求を受信すると、ＰＣ端末２０の画像表示部２１に、当該隊員の画像、隊員名、ＣＳ位置情報などを表示する機能も有している。例えば、会議室アプリケーション２２１によって画像表示部２１に表示されるＭＡＰ表示画面において、指令者は、接続されている携帯情報端末の位置をＣＳ位置情報により認識することができる。
また、会議室アプリケーション２２１は、指令者による画像表示部２１上の指定に応じて、回線接続制御部２３を制御するようになっている。指令者による画像表示部２１上の指定は、タッチパネルやマウスなどで行うことができるようになっている。
【００１６】
さらに、会議室アプリケーション２２１は、画像表示部２１上の表示に基づいて、指令者が画面の所定箇所をマウスクリックすると、このマウスクリックによる処理要求に応じて、各会議室に接続されている隊員の通話状況を切り替えることができる。例えば、画像表示部２１の所定画面上で隊長が同報発信を指定した場合には、会議室アプリケーション２２１は、瞬時に接続している携帯情報端末全てを同一会議室に接続替えするようになっている。
【００１７】
また、会議室アプリケーション２２１は、指令者が画像表示部２１上に表示されている所定会議室内の隊員の画像を、タッチパネルまたはマウスなどでドラッグ・アンド・ドロップすると、当該隊員を別の会議室に移動するようになっている。
会議室アプリケーション２２１は、画像表示部２１に各会議室に接続されている隊員の状態を状況モニタとして表示するようになっている。これにより、指令者は、回線接続の監視や、接続、切断などの管理を行うことができる。
【００１８】
電話アプリケーション２２２は、回線接続要求を受信すると、当該回線接続要求を送信してきた電話番号に応じて、あらかじめ登録されている各隊員の情報を抽出し、会議室アプリケーション２２１へ渡すようになっている。
ＯＳ２２３は、ＰＣ端末２０をメンテナンス使用するプログラムなど、その他のプログラムが記憶されている。
【００１９】
回線接続制御部２３は、ＯＤトランクボード２３１、２３２、ミキシングユニット２３３、Ｉ／Ｏ（Ｉｎｐｕｔ／Ｏｕｔｐｕｔ）ボード２３４を備えている。ＯＤトランク（Ｏｕｔ　Ｂａｎｄ　Ｄｉａｌｌｉｎｇ　Ｔｒｕｎｋ）ボード２３１、２３２は、接続受付手段として機能し、４Ｗ（Ｗｉｒｅｓ；線）の通話路（送話・通話）の中継線トランクである。
ＯＤトランクボード２３１、２３２は、隊員が携帯情報端末２ａ、２ｂ、２ｃ、・・・から指令者に発呼したとき、この発呼を回線接続要求として受け付ける。
【００２０】
また、ＯＤトランクボード２３１、２３２は、指令者が回線接続制御装置を介して、各隊員の携帯情報端末に発信したい場合、会議室アプリケーション２２１に従ってＳＳ、ＳＲ線を制御することにより携帯情報端末に対して発呼を行うようになっている。この場合の発呼には、ウィンクスタート方式を使用する。
ウィンクスタート方式は、発信音やタイミングで確認するのではなく、ＳＲ線を１から０にし、一定時間経過後１に戻すという動作（ウィンク信号）を接続確認信号として扱う接続方式のことである。
【００２１】
なお、本実施の形態では、発信シーケンスとして、ウィンクスタート方式を使用しているものとするが、これに限られるものではない。
ＯＤトランクボード２３１、２３２からＳＳ、ＳＲ線を０または１で交互に変化させることにより選択信号を送受信することができるが、この選択信号送受信の方法としてウィンクスタート方式の他に、セカンドダイヤルトーン方式（発信音確認によるスタート）、セカンドダイヤルトーン方式（タイミングスタート）などの方法もある。
【００２２】
Ｉ／Ｏボード２３４は、専用ケーブルによりミキシングユニット２３３とコネクタ接続されている。このＩ／Ｏボード２３３は、会議室アプリケーション２２１に従って、組み合わせ選択手段として機能し、ミキシングユニット２３３を制御するようになっている。
Ｉ／Ｏボード２３４による制御方式は、Ｉ／Ｏボードに付属のＤＬＬを使用して、そのＤＬＬのＳＳ信号、ＳＲ信号およびアナログＳＷの制御関数を使用して会議室アプリケーション２２１によって制御するようになっている。
【００２３】
ミキシングユニット２３３は、Ｉ／Ｏボード２３４からの制御によって、所定の携帯情報端末の回線接続を行う接続手段として機能する。このミキシングユニット２３３によって
ミキシングユニット２３３は、転送利用することにより、携帯情報端末８台、指令者１名の最大計９者通話が可能なように、回線接続を行うことができる。このミキシングユニット２３３の回線接続制御は、会議室アプリケーション２２１に従ったＩ／Ｏボード２３４による切り替えによって行われるようになっている。
【００２４】
また、ミキシングユニット２３３は、外部モニタ端子により、指令者が使用するスピーカ２６と接続されている。ミキシングユニット２３３は、スピーカ２６からの音声出力のオン／オフ切り替えを行う。このミキシングユニット２３３による音声出力の切り替えは、画像表示部２１に表示された画面上において指定された命令（設定）に従って、会議室アプリケーション２２１がオン／オフを制御するようになっている。
また、ミキシングユニット２３３は、ヘッドセット接続端子よりヘッドセット２７と接続されている。ミキシングユニット２３３は、スピーカ２６と同様に、ヘッドフォン入力およびヘッドセットフォンへの音声出力をすることができる。
【００２５】
次に、本実施の形態に係る回線接続制御装置の動作について図３ないし図？を参照して説明する。
図３は、ＰＣ端末２０による回線接続処理手順を示したフローチャートである。ここでは、隊員３０００が指令者に対して発信を行う場合について説明する。また、ＰＣ端末２０の指令者側は、会議室アプリケーション２２１を立ち上げておき、画像表示部２１に図４に示すような回線接続状況画面が表示されているものとする。
【００２６】
隊員３０００が携帯情報端末２ａからＰＣ端末２０に対して発信すると、ＰＣ端末２０の制御部は、この発呼を着信検出し（ステップＳ３００）、回線接続要求として認識する。このとき制御部は、会議室アプリケーション２２１に基づいて、図４（ｂ）に示すように、１つ目の回線に隊員３０００が着信中であるとして、会議室参加者ボックス４２に着信者名（隊員３０００）と表示させる。また、制御部は、回線接続状態ボックス４３の表示を「スタンバイ」（図４（ａ）参照）から「着信中」に変える。
回線接続状況画面の表示を変化させると同時に、制御部は、会議室アプリケーション２２１で作成された「発信ログファイル」と「発信ログ検索番号」に基づいて、発信者である隊員３０００を検索し、「登録メンバーファイル」から発信者の名前と写真と、位置情報を抽出する。
【００２７】
抽出後、ＰＣ端末２０の制御部は、会議室アプリケーション２２１の画像表示機能によって、図５に示すような着信画面を表示する（ステップＳ３００）。
図５に示すように、着信画面には、あらかじめ登録されている隊員３０００の画像５１、隊員３０００の名前５２、伊勢崎地区というＣＳ位置情報５３などが表示される。また、着信画面には、応答ボタン５４も表示されており、指令者は、この応答ボタン５４をマウスなどのポインティングデバイスによって選択することにより、着信してきた隊員３０００に対する応答をすることができるようになっている。
【００２８】
ここで、指令者が着信画面の応答ボタン５４を選択すると、制御部は、手動応答モード、自動応答モードのどちらが選択設定されているかを判断する。
図４の接続状況画面のように、手動応答ボタン４１が選択されている場合（ステップＳ３０２；Ｙ）、制御部は、指令者に対して隊員３０００を接続する会議室の選択を促す（ステップＳ３０３）。
会議室の選択は、会議室選択ボックス４４内の会議室Ａ、会議室Ｂ、会議室個別いずれかをチェックすることにより、会議室を選択したことになる。図４（ａ）では、会議室個別が選択されている場合を示している。
指令者が隊員３０００を会議室個別に接続すると選択すると、制御部は、隊員３０００の携帯情報端末２ａの回線を会議室個別に接続する（ステップ３０４）。このとき制御部は、会議室アプリケーション２２１に基づいて、図４（ｃ）に示すように、回線接続状態ボックス４３の表示を「着信中」（図４（ｂ）参照）から「通話中」に変える。
通話終了後、指令者が回線切断ボタン４８を選択すると、制御部は、隊員３０００の回線接続を切断する（ステップＳ３０５）。
【００２９】
なお、画像表示部２１に回線接続状況画面が表示されたために、着信画面が背面に移動してしまった場合、制御部は、回線接続状況画面の下方に図４（ｄ）に示すような着信中ボタン４５を表示するようになっている。指令者は、この着信中ボタン４５を選択することにより、着信画面を再度表示することができる。
また、通話中に、指令者が回線接続状況画面の会議室選択ボックス４４内の別の会議室Ａや会議室Ｂをチェックして選択することにより、隊員３０００を別の会議室に移動することができるようになっている。
また、例えば、８つの回線全部が同じ会議室をチェックされていた場合、ＰＣ端末２０に接続された携帯情報端末２ａ、２ｂ、２ｃ、・・・のすべてが１つの会議室に接続されるようになる。
【００３０】
また、指令者は、回線接続状況画面において、会議室タグ４６、ＭＡＰタグ４７を選択することにより、会議室モニタ画面、ＭＡＰ表示画面を画像表示部２１に表示させることができる。指令者は、ＭＡＰ表示画面において、隊員の位置を把握することができる。
図６は、会議室モニタ画面を示した図である。会議室モニタ画面には、各会議室に接続されている会議室参加者となる隊員の画像（写真）、名前、ＣＳ位置情報などが表示される。図６では、会議室個別に隊員３０００が表示されているが、別の隊員が会議室個別に接続されれば、会議室個別に追加表示されるようになっている。
指令者は、会議室モニタ画面の隊員３０００の写真部分６０をドラッグ・アンド・ドロップすることにより、別の会議室Ａや会議室Ｂへ隊員３０００を移動することができるようになっている。
【００３１】
オペレータボタン６１は、オペレータが入室している状態を示している。オペレータは、会議室に入室（接続）している隊員とのみ話しができるようになっている。また、オペレータボタン６１がオペレータボタン６１’のように反転表示されている場合、オペレータが退室していることを表している。
スピーカボタン６２は、会議室の会話をスピーカ２６から出力している状態であることを示している。すべての会議室のスピーカ出力をすることもできるようになっている。また、スピーカボタン６２がスピーカボタン６２’のように反転表示されている場合、会議室の会話がスピーカ２６から出力されていない状態であることを示している。
【００３２】
一方、手動応答ボタン４１ではなく、自動応答ボタン７１が選択されていた場合（ステップＳ３０２；Ｎ）、制御部は、図７に示すような回線接続状況画面を画像表示部２１に表示する。あらかじめ自動応答ボタン７１が選択されていた場合でも制御部は、会議室アプリケーション２２１に基づいて、図７（ｂ）に示すように、１つ目の回線に隊員３０００が着信中であるとして、会議室参加者ボックス４２に着信者名（隊員３０００）と表示させる。また、制御部は、回線接続状態ボックス４３の表示を「スタンバイ」（図７（ａ）参照）から「着信中」に変える。
【００３３】
さらに、制御部は、会議室アプリケーション２２１に従って、隊員着３０００の携帯情報端末２ａの回線を自動的に会議室Ａに接続する（ステップ３０４）。このとき制御部は、会議室アプリケーション２２１に基づいて、図７（ｃ）に示すように、回線接続状態ボックス４３の表示を「着信中」（図７（ｂ）参照）から「通話中」に変える。
通話終了後、指令者が回線切断ボタン４８を選択すると、制御部は、隊員３０００の回線接続を切断する（ステップＳ３０５）。
【００３４】
なお、自動応答ボタン７１が選択されている場合、制御部は、着信した隊員をあらかじめ設定されている会議室に接続するようになっている。この自動応答モードの場合に隊員をどの会議室に接続するかの設定は、指令者があらかじめ会議室アプリケーション２２１により選択決定しているものとする。
また、「着信中」または「通話中」に、手動応答ボタン４１を選択すると、指令者は、自動的に接続された会議室Ａから隊員３０００を別の会議室に移動することもできる。
【００３５】
指令者は、所定の携帯情報端末２ａ、２ｂ、２ｃ、・・・に発呼を行う場合、図４の回線接続状況画面において、会議室参加者ボックス４２を選択し、回線接続ボタン４９を選択する。この回線接続ボタン４９が選択されると、制御部は、会議室アプリケーション２２１に基づいて、会議室参加者ボックス４２に表示されている隊員に発呼を行うようになっている。
また、回線接続状況画面から所定の携帯情報端末２ａ、２ｂ、２ｃ、・・・に発呼を行った際、発呼先である携帯情報端末は、会議室選択ボックス４４で選択指定されている会議室に入るようになっている。
【００３６】
次に、リダイヤルおよび発着信履歴について説明する。
図４の回線接続状況画面において、指令者が発着信履歴ボタン８０を選択すると、制御部は、画像表示部２１に図８に示すような発着信履歴画面を表示する。
発着信履歴画面には、発信履歴タグ８１と、着信履歴タグ８２が表示されており、指令者は、各タグ８１、８２を選択することで発信履歴または着信履歴を参照することができるようになっている。図８では一例として、発信履歴タグ８１が選択されている場合を示している。
【００３７】
発信履歴リストとしては、発信日付、発信時間、発信先の相手の名称などが表示される。発信履歴リストには、上から新しい順に最大３０件の発信履歴が表示されており、同一発信先の履歴は、古い履歴を最新の履歴に自動的に更新するようになっている。
指令者が着信履歴タグ８２を選択すると、制御部は、画像表示部２１に着信履歴リストを表示する。この着信履歴リストも発信履歴リストと同様に、上から新しい順に最大３０件の着信履歴が表示されるようになっている。
【００３８】
また、指令者は、この発信履歴リストまたは着信履歴リストを利用して、隊員に対する発信操作を行うことも可能である。
例えば、指令者が発信履歴リストから隊員３０００を選択してクリックすると、会議室参加者ボックス４２に隊員３０００が表示される。この後、隊員３０００を指定して、回線接続ボタン４９を選択すると、発信者は、隊員３０００に対する発呼を行うことができる。
なお、発着信履歴は着信または発信を受け付けた時点で、会議室アプリケーション２２１によって作成されるようになっている。
【００３９】
また、図４の回線接続状況画面において、指令者が一斉同報ボタン４０１を選択すると、会議室参加者ボックス４２に表示されているすべての隊員を所定の会議室に集合させるようになっている。一斉同報ボタン４０１が選択された場合に、どの会議室にすべての隊員を移動するかは、あらかじめ指令者により設定されているものとする。なお、このとき、オペレータも所定の会議室に自動的に入室する。
【００４０】
図４ないし図８の各画面では、隊員３０００の携帯情報端末２ａが所定の会議室に接続される場合について説明してきたが、隊員数が増えた場合でも同様の処理手順が行われるものとする。
また、８人の隊員すべてを所定の会議室に分け、接続した場合、回線接続状況画面は、図９に示すようになる。図９の回線接続状況画面に示すように、８つの回線すべてが携帯情報端末２ａ、２ｂ、２ｃ、・・・と接続されている場合に、指令者が全切断場ボタン９１を選択すると、制御部は、８つの回線すべての接続を切断する。
【００４１】
本実施の形態に係る回線接続装置によると、組み合わせ選択手段で選択された組み合わせに基づいて、接続受付手段で受け付けた複数の携帯情報端末の回線接続を行う接続手段を備えるので、接続された携帯情報端末のユーザを任意の組み合わせに振り分けることができ、例えば、消防隊などが利用の場合、指令者は、所定の隊員に対する指示を効率よく行うことができる。
また、本実施の形態に係る回線接続装置によると、組み合わせ選択手段による組み合わせ選択が任意に設定可能であるので、例えば、手動または自動というように回線の組み合わせ選択を行うことができ、例えば、あらかじめ選択指定されている組み合わせの人とだけでなく、別の組み合わせの人とも話すことができる。
【００４２】
以上、本発明の一実施形態について説明したが、本発明は、上述の実施形態に限定されるものではない。
例えば、本実施の形態では、携帯情報端末数を８台（隊員数を８名）として説明し、回線接続制御部２３にはＯＤトランクボードが２枚実装されているとしたが、これに限られるものではない。回線接続要求を行う携帯情報端末数に応じて、適宜、実装するＯＤトランクボード数を増やすことも可能である。
【００４３】
【発明の効果】
以上説明したように、本発明の回線接続制御装置によると、接続手段は、組み合わせ選択手段で選択された組み合わせに基づいて、接続受付手段で受け付けた複数の携帯情報端末の回線接続を行うので、接続された携帯情報端末のユーザは、例えば、組み合わせとして選択された所定の会議室内の人と話すことができる。
また、本発明の回線接続制御装置によると、組み合わせ選択手段による組み合わせ選択は、任意に設定可能であるので、手動または自動で回線の組み合わせ選択を行うことにより、例えば、指定された会議室の人とだけでなく、いろいろな人と話すことができる。
【図面の簡単な説明】
【図１】本発明の回線接続制御装置を利用した回線接続システムの概略構成を示した図である。
【図２】回線接続制御ボードを備えたＰＣ端末の概略構成を示した図である。
【図３】ＰＣ端末における回線接続処理手順を示したフローチャートである。
【図４】手動応答の場合の回線接続状況画面を示した図である。
【図５】着信画面を示した図である。
【図６】会議室モニタ画面を示した図である。
【図７】自動応答の場合の回線接続状況画面を示した図である。
【図８】発着信履歴を表示した回線接続状況画面を示した図である。
【図９】全切断の場合の回線接続状況画面を示した図である。
【符号の説明】
１ａ、１ｂ、１ｃ、・・・　　ＣＳ
２ａ、２ｂ、２ｃ、・・・　　携帯情報端末
１０　　　回線コントローラ
２０　　　ＰＣ端末
２１　　　画像表示部
２２　　　記憶部
２３　　　回線接続制御ボード
２６　　　スピーカ
２７　　　ヘッドセット
２２１　　会議室アプリケーション
２２２　　電話帳アプリケーション
２２３　　ＯＳ
２３１、２３２　　ＯＤトランクボード
２３３　　ミキシングユニット
２３４　　Ｉ／Ｏボード
【図１】
2004023292.tif 000003
【図２】
2004023292.tif 000004
【図３】
2004023292.tif 000005
【図４】
2004023292.tif 000006
【図５】
2004023292.tif 000007
【図６】
2004023292.tif 000008
【図７】
2004023292.tif 000009
【図８】
2004023292.tif 000010
【図９】
2004023292.tif 000011